(57)【要約】本明細書によって開示されるコネクタ１０は、板状の相手端子１００が挿入可能とされたコネクタ１０であって、板状の接続端子２０と、バネ部８０と、前記相手端子１００が挿入される挿入口を有し、前記バネ部８０が保持されたハウジング４０とを備え、前記挿入口に挿入された前記相手端子１００と前記接続端子２０とは、前記バネ部８０によって挟持される構成とした。
2019167434.tif 000002
【特許請求の範囲】
【請求項１】
板状の相手端子が挿入可能とされたコネクタであって、
板状の接続端子と、
バネ部と、
前記相手端子が挿入される挿入口を有し、前記バネ部が保持されたハウジングとを備え、
前記挿入口に挿入された前記相手端子と前記接続端子とは、前記バネ部によって挟持されるコネクタ。
【請求項２】
前記接続端子は、前記相手端子と対向する面に突出して形成される接点部を有し、
前記接点部は球面状をなす接触面を備える請求項１に記載のコネクタ。
【請求項３】
前記バネ部は、前記相手端子を前記接続端子に向けて押圧する第１押圧部と、前記接続端子を前記相手端子に向けて押圧する第２押圧部とを有し、
前記挿入口に挿入された前記相手端子と前記接続端子とは、前記第１押圧部と前記第２押圧部によって挟持される請求項１または請求項２に記載のコネクタ。
【請求項４】
前記バネ部は金属で構成された板バネであって、板状の基端部と、前記基端部の一端から片持ち状に延びる第１弾性片と、前記基端部の他端から片持ち状に延びる第２弾性片とを備えて構成され、前記第１押圧部は前記第１弾性片に配され、前記第２押圧部は前記第２弾性片に配されている請求項１から請求項３のいずれか一項に記載のコネクタ。
【請求項５】
前記バネ部は、前記基端部と前記第１弾性片と前記第２弾性片とに囲まれた収容部と、前記基端部と対向する位置に設けられた開口部と、を備え、
前記相手端子が、前記開口部から前記収容部へ挿入される請求項４に記載のコネクタ。
【請求項６】
前記第１押圧部は、前記第１弾性片における前記第２弾性片との対向面から前記第２押圧部側に突出して設けられている請求項４または請求項５に記載のコネクタ。
【請求項７】
前記第２押圧部は、前記第２弾性片における前記第１弾性片との対向面から前記第１押圧部側に突出して設けられている請求項４から請求項６のいずれか一項に記載のコネクタ。
【請求項８】
前記ハウジングは、前記バネ部が内部に保持されたインナーハウジングと、前記インナーハウジングが内部に収容されたアウターハウジングと、前記インナーハウジングを前記アウターハウジングに保持させる保持キャップとを備えて構成され、前記挿入口は、前記インナーハウジングに設けられた内側挿入口と、前記保持キャップに設けられた外側挿入口とによって構成されている請求項１から請求項７のいずれか一項に記載のコネクタ。
【発明の詳細な説明】
【技術分野】
【０００１】
本明細書によって開示される技術は、コネクタに関する。
【背景技術】
【０００２】
従来、雄端子に接続される雌端子として、特許第６２２２０３９号公報（下記特許文献１）に記載の雌端子が知られている。この雌端子は、複数の周壁によって角筒状に形成された嵌合部と、嵌合部内に配されて雄端子に弾性的に接触する弾性片とを備えて構成されている。雄端子は、弾性片とこれに対向する周壁との間に挟持されることで雌端子と導通可能に接続される。雌端子は、板状の金属材をプレス加工によって打ち抜きおよび曲げ成形することにより角筒状に成形されている。
【先行技術文献】
【特許文献】
【０００３】
【特許文献１】特許第６２２２０３９号公報
【発明の概要】
【発明が解決しようとする課題】
【０００４】
しかしながら、大電流化に伴って金属材の板厚が大きくなると、プレス加工によって角筒状の雌端子を製造することができなくなる虞がある。
【課題を解決するための手段】
【０００５】
本明細書によって開示されるコネクタは、板状の相手端子が挿入可能とされたコネクタであって、板状の接続端子と、バネ部と、前記相手端子が挿入される挿入口を有し、前記バネ部が保持されたハウジングとを備え、前記挿入口に挿入された前記相手端子と前記接続端子とは、前記バネ部によって挟持される構成とした。【０００６】
このような構成によると、相手端子をハウジングの挿入口に挿入すると、板状の相手端子と板状の接続端子とは、ハウジングに保持されたバネ部によって挟持されて電気的に接続される。したがって、端子を筒状に加工する必要がなく、板状の端子を使用できるため、端子の板厚が大きくなっても、端子を容易に製造することができる。
【発明の効果】
【０００７】
本明細書によって開示されるコネクタによれば、端子を筒状に加工する必要がなく、板状の端子を使用できるため、大電流化に伴って端子の板厚が大きくなっても、端子を容易に製造することができる。
【図面の簡単な説明】
【０００８】
【図１】コネクタの構成部品を示した分解斜視図
【図２】コネクタの斜視図
【図３】コネクタの正面図
【図４】コネクタの側面図
【図５】図３のＡ−Ａ線で切断した断面図であって、接続端子をバネ部に取り付ける前の状態を示した断面図
【図６】図３のＡ−Ａ線で切断した断面図であって、接続端子をバネ部に取り付けた後の状態を示した断面図
【図７】図３のＡ−Ａ線で切断した断面図であって、相手端子を挿入させた後の状態を示した断面図
【図８】図３のＢ−Ｂ線で切断した断面図
【図９】図４のＣ−Ｃ線で切断した断面図
【図１０】アウターハウジングの正面図
【図１１】インナーハウジングの内部構造を正面から見た断面図
【図１２】バネ部の正面図
【図１３】接続端子の側面図
【図１４】接続端子の平面図
【発明を実施するための形態】
【０００９】
＜実施形態＞
最初に、本明細書によって開示される実施態様を列記して説明する。
本明細書で開示される第一の態様に係るコネクタは、板状の相手端子が挿入可能とされたコネクタであって、板状の接続端子と、バネ部と、前記相手端子が挿入される挿入口を有し、前記バネ部が保持されたハウジングとを備え、前記挿入口に挿入された前記相手端子と前記接続端子とは、前記バネ部によって挟持される。
【００１０】
第一の態様のコネクタによれば、端子を筒状に加工する必要がないため、大電流化に伴って端子の板厚が大きくなっても、端子を容易に製造することができる。
【００１１】
本明細書で開示される第二の態様に係るコネクタは、前記接続端子は、前記相手端子と対向する面に突出して形成される接点部を有し、前記接点部は球面状をなす接触面を備える。
【００１２】
第二の態様のコネクタによれば、相手端子が捻回した場合でも相手端子と接続端子の接触面との接触面積が急激に減少することが抑制される。したがって、相手端子と接続端子との間の接触抵抗が急激に増加することを抑制できる。
【００１３】
本明細書で開示される第三の態様に係るコネクタは、前記バネ部は、前記相手端子を前記接続端子に向けて押圧する第１押圧部と、前記接続端子を前記相手端子に向けて押圧する第２押圧部とを有し、前記挿入口に挿入された前記相手端子と前記接続端子とは、前記第１押圧部と前記第２押圧部によって挟持される。
【００１４】
第三の態様のコネクタによれば、接続端子と相手端子は、第１押圧部と第２押圧部によって挟持される。したがって、接続端子と相手端子とは、高い接触圧で接触して電気的に接続される。
【００１５】
本明細書で開示される第四の態様に係るコネクタは、前記バネ部は金属で構成された板バネであって、板状の基端部と、前記基端部の一端から片持ち状に延びる第１弾性片と、前記基端部の他端から片持ち状に延びる第２弾性片とを備えて構成され、前記第１押圧部は前記第１弾性片に配され、前記第２押圧部は前記第２弾性片に配されている。
【００１６】
第四の態様のコネクタによれば、バネ部が板バネであることから、接続端子と相手端子とを十分な接触圧で挟持できる。また、通電時の電磁反発により、接続端子と相手端子とが離間することを抑制することができる。よって、接続端子と相手端子との間で、アーク放電が生じることを抑制できる。
【００１７】
本明細書で開示される第五の態様に係るコネクタは、前記バネ部は、前記基端部と前記第１弾性片と前記第２弾性片とに囲まれた収容部と、前記基端部と対向する位置に設けられた開口部と、を備え、前記相手端子が、前記開口部から前記収容部へ挿入される。
【００１８】
第五の態様のコネクタによれば、相手端子を収容部に挿入する際に、相手端子の端末を基端部に接触させることにより、相手端子の挿入深さを制限することができる。したがって、相手端子の挿入深さを容易に管理できるため、コネクタの組立作業性を向上させることができる。
【００１９】
本明細書で開示される第六の態様に係るコネクタは、前記第１押圧部は、前記第１弾性片における前記第２弾性片との対向面から前記第２押圧部側に突出して設けられている。
【００２０】
第六の態様のコネクタによれば、相手端子をコネクタに挿入させる際に、相手端子が第１押圧部と摺動することで円滑な挿入動作が可能になる。
【００２１】
本明細書で開示される第七の態様に係るコネクタは、前記第２押圧部は、前記第２弾性片における前記第１弾性片との対向面から前記第１押圧部側に突出して設けられている。
【００２２】
第七の態様のコネクタによれば、接続端子をバネ部に取り付ける際に、接続端子が第２押圧部に摺動することで円滑な挿入動作が可能になる。
【００２３】
本明細書で開示される第八の態様に係るコネクタは、前記ハウジングは、前記バネ部が内部に保持されたインナーハウジングと、前記インナーハウジングが内部に収容されたアウターハウジングと、前記インナーハウジングを前記アウターハウジングに保持させる保持キャップとを備えて構成され、前記挿入口は、前記インナーハウジングに設けられた内側挿入口と、前記保持キャップに設けられた外側挿入口とによって構成されている。
【００２４】
第八の態様のコネクタによれば、バネ部をインナーハウジングに保持させた状態で接続端子をバネ部に取り付けることができるため、接続端子の取付作業が容易になる。
【００２５】
実施形態を図１から図１４の図面を参照しながら説明する。本実施形態のコネクタ１０は、図１に示すように、接続端子２０と、接続端子２０に溶接された電線３０と、接続端子２０が装着されるハウジング４０と、ハウジング４０に保持されるバネ部８０と、電線３０に嵌着されるゴムリング９０と、ゴムリング９０を保持するバックリテーナ９１と、を備えて構成されている。このコネクタ１０には、図７に示す相手端子１００が挿入可能とされている。ハウジング４０は、インナーハウジング５０とアウターハウジング６０と保持キャップ７０とによって構成されている。電線３０は、金属からなる芯線３１が絶縁性の被覆３２で覆われた被覆電線である。相手端子１００は、金属から構成された平板状の端子である。相手端子１００は、例えば、銅や銅合金、又はアルミニウムやアルミニウム合金などから構成されている。
【００２６】
接続端子２０は、金属から構成された平板状の端子である。接続端子２０は、例えば、銅や銅合金、又はアルミニウムやアルミニウム合金などから構成されている。接続端子２０は、平面視で長方形状とされ、相手端子１００に接続される端子接続部２１と、電線３０の芯線３１が溶接される電線接続部２２とを備えて構成されている。端子接続部２１における相手端子１００との対向面２３には、接点部２４が突出して設けられている。接点部２４は一対設けられ、一対の接点部２４は端子接続部２１と電線接続部２２の並び方向に並んで配されている。端子接続部２１の先端部には、テーパー状の誘い込み面２５が設けられている。
【００２７】
接点部２４は、図１３および図１４に示すように、ほぼ平坦面に近い緩やかな球面状をなす接触面２４Ａを有している。例えば、接触面２４Ａは、ドーム状やアーチ状といった凸曲面であり得る。図示した例では、接点部２４は、ドーム状頂面を有する突出部である。なお、接触面２４Ａの曲率半径Ｒは、例えば、２０ｍｍ以上となるように形成されている。また、接触面２４Ａは、理想的な真球の外面の一部であってもよく、例えば回転楕円体等の歪んだ球体の外面の一部であってもよい。この接触面２４Ａは、相手端子１００とは１点で接触するようになっている。この接触面２４Ａによれば、相手端子１００が捻回した場合でも相手端子１００との接触面積が略一定に保たれるため、接触抵抗の急激な増加による高発熱を防ぐことができる。換言すると、相手端子１００が捻回した場合でも、接触面２４Ａと相手端子１００との接触面積が急激に減少することを抑制できる。したがって、接続端子２０と相手端子１００との間の接触抵抗が急激に増加して発熱することを抑制でき、ひいては、その発熱によって生じ得る両端子２０、１００の損傷を抑制できる。また、接触面２４Ａと相手端子１００の接続状態は平面同士の接続状態に近くなるため、接触面２４Ａと相手端子１００の接触圧は分散し、相手端子１００の挿抜を繰り返し行うことによる摩耗を抑制しやすくなる。
【００２８】
バネ部８０は、金属で構成された板バネである。バネ部８０は、鉄や鉄合金から構成され、例えば、ＳＵＳ（Ｓｔｅｅｌ  Ｕｓｅ  Ｓｔａｉｎｌｅｓｓ）から構成される。バネ部８０が鉄や鉄合金から構成されていると、バネ部８０は薄くても強固なバネ力を生じさせることができる。バネ部８０は、平板状の基端部８３と、基端部８３の一端から片持ち状に延びる第１弾性片８１と、基端部８３の他端から片持ち状に延びる第２弾性片８２とを備えて構成されている。第１弾性片８１と第２弾性片８２は互いに対向する配置とされている。第１弾性片８１の先端部は、第２弾性片８２と反対側に折り曲げられており、その曲げ縁から先端までの部分が第１誘い込み部８１Ｂとされている。同様に、第２弾性片８２の先端部は、第１弾性片８１と反対側に折り曲げられており、その曲げ縁から先端までの部分が第２誘い込み部８２Ｂとされている。
【００２９】
バネ部８０の基端部８３は、図１２に示すように、図示上下方向に長い長方形状に形成されている。基端部８３の中央部には、図示左右方向に長い長方形状の保持孔８３Ａが貫通して設けられている。
【００３０】
バネ部８０において、基端部８３と第１弾性片８１と第２弾性片８２とで囲まれた空間が収容部８４として機能する。バネ部８０において、基端部８３とは反対側に、第１開口部８５が形成されている。図１に示した例では、第１弾性片８１の長辺であり得る先端縁と第２弾性片８２の長辺であり得る先端縁との間に、第１開口部８５が形成されている。
【００３１】
図１に示すように、第１弾性片８１の短辺であり得る上側端縁と第２弾性片８２の短辺であり得る上側端縁との間、及び第１弾性片８１の別の短辺であり得る下側端縁と第２弾性片８２の別の短辺であり得る下側端縁との間には、それぞれ第２開口部８６が形成されている。
【００３２】
第１弾性片８１における第２弾性片８２との対向面には第１押圧部８１Ａが第２第２押圧部８２Ａ側に突出して設けられている。一方、第２弾性片８２における第１弾性片８１との対向面には第２押圧部８２Ａが第１押圧部８１Ａ側に突出して設けられている。各押圧部８１Ａ、８２Ａの表面は、ほぼ平坦面に近い緩やかな球面状に形成されている。また、各押圧部８１Ａ、８２Ａは、図１に示すように、側面視において図示上下方向に長い楕円形状に形成されている。
【００３３】
図５に示すように、バネ部８０はインナーハウジング５０の内部に収容されている。インナーハウジング５０は合成樹脂から構成されている。図１に示すように、インナーハウジング５０は、下方に開口するフード部５１を有している。バネ部８０はフード部５１内に下方から挿入される。フード部５１は、前壁５１Ａ、後壁５１Ｂ及び一対の側壁５１Ｃからなる周壁を備える。フード部５１の周壁を構成する前壁５１Ａには、図示上下方向に長い内側挿入口５４が設けられている。内側挿入口５４は、前方および下方に開口している。
【００３４】
図１１に示すように、フード部５１の周壁を構成する後壁５１Ｂには、第１保持突起５２が設けられている。一方、バネ部８０の基端部８３には、保持孔８３Ａが設けられている。バネ部８０がフード部５１内に挿入されると、図５に示すように、第１保持突起５２が保持孔８３Ａに嵌まり込み、保持孔８３Ａの内周縁が第１保持突起５２に係止することでバネ部８０がフード部５１内に保持される。
【００３５】
また、図１１に示すように、フード部５１の周壁を構成する一対の側壁５１Ｃには、一対の第２保持突起５３が設けられている。第２保持突起５３は、第１保持突起５２よりも下方に配され、フード部５１の開口付近に位置している。図９に示すように、バネ部８０の各弾性片８１、８２の下端部が第２保持突起５３に係止することによってもバネ部８０がフード部５１内に保持される。
【００３６】
アウターハウジング６０は合成樹脂から構成されている。図１および図１０に示すように、アウターハウジング６０は、前方に開口するフード部６１を有している。フード部６１の奥壁６１Ａには一対の取付壁６２が設けられている。一対の取付壁６２は、左右方向に対向する配置とされ、奥壁６１Ａから前方に突出して設けられている。一対の取付壁６２の外周側には、一対の取付突起６２Ａが設けられている。インナーハウジング５０は一対の取付壁６２の間に収容され、保持キャップ７０により保持されている。
【００３７】
アウターハウジング６０は、ゴムリング９０が装着されるゴムリング装着筒部６４を有している。図８に示すように、ゴムリング９０は、ゴムリング装着筒部６４の内部に下方から装着されている。ゴムリング９０は、電線Ｗの外周面とゴムリング装着筒部６４の内周面との間に挟持されており、ゴムリング装着筒部６４の内部に下方から水が浸入することが抑制されている。ゴムリング９０の下方には、バックリテーナ９１が装着されている。バックリテーナ９１には一対の装着凹部９２が設けられている。一対の装着凹部９２を一対の装着突起６４Ａに係止させることでバックリテーナ９１がゴムリング装着筒部６４に保持されている。バックリテーナ９１によって、ゴムリング９０が抜け止めされた状態でゴムリング装着筒部６４内に保持されている。
【００３８】
保持キャップ７０は合成樹脂から構成されている。図１に示すように、保持キャップ７０は、後方（図示右側）に開口している。保持キャップ７０の両側壁７１には、一対の取付片７２が設けられている。取付片７２は、側壁７１の前端部から片持ち状をなして後方に延びている。取付片７２の先端部には、取付孔７２Ａが設けられている。保持キャップ７０を一対の取付壁６２に外嵌させると、一対の取付孔７２Ａに一対の取付突起６２Ａが嵌まり込む。よって、一対の取付孔７２Ａの内周縁が一対の取付突起６２Ａに係止することで保持キャップ７０が一対の取付壁６２に保持される。これにより、保持キャップ７０の内部に収容されたインナーハウジング５０がアウターハウジング６０に保持される。
【００３９】
図１０に示すように、アウターハウジング６０のフード部６１の奥壁６１Ａにおける一対の取付壁６２の間には、上下一対の位置決め突部６５が設けられている。一方、インナーハウジング５０のフード部５１の後壁５１Ｂには、図８に示すように、上下一対の位置決め孔５８が設けられている。各位置決め突部６５は各位置決め孔５８に後方から嵌合している。これにより、インナーハウジング５０がアウターハウジング６０に対して正規の装着姿勢に位置決めされている。
【００４０】
保持キャップ７０の前壁７４には、外側挿入口７５が設けられている。外側挿入口７５は、相手端子１００が挿入する開口とされており、図５に示すように、インナーハウジング５０の内側挿入口５４と前後方向に並んで配置されている。したがって、相手端子１００は、保持キャップ７０の外側挿入口７５とインナーハウジング５０の内側挿入口５４とを通ってバネ部８０の内部に進入するものとされている。
【００４１】
また、保持キャップ７０の底壁７３には端子挿通孔７３Ａが設けられている。端子挿通孔７３Ａには接続端子２０が下方から挿通可能とされている。接続端子２０が端子挿通孔７３Ａから保持キャップ７０内に挿入されると、電線接続部２２の側縁部がアウターハウジング６０の抜止突起６３に係止する。よって、接続端子２０はアウターハウジング６０によって抜け止めされ、バネ部８０の一対の弾性片８１、８２の間に保持される。
【００４２】
さて、バネ部８０は、電線３０が振られた際に接続端子２０と相手端子１００が摺動摩耗することを抑制するために、接続端子２０と相手端子１００を挟持している。図５に示す状態から接続端子２０をバネ部８０に取り付けると、図６に示すように、接続端子２０が第２弾性片８２の第２押圧部８２Ａに摺動する。より詳しくは、接続端子２０を第２開口部８６からバネ部８０の収容部８４に挿入すると、接続端子２０が第２弾性片８２の第２押圧部８２Ａに摺動する。これにより、接続端子２０は、正規の取付位置に向けて円滑にバネ部８０へ挿入できる。なお、図９に示すように、接続端子２０の先端部は、インナーハウジング５０の後壁５１Ｂに設けられた段差部５５に係止されている。よって、バネ部８０からの反力を受けて接続端子２０全体が図示左側に変位することが抑制されている。したがって、接続端子２０が内側挿入口５４の少なくとも一部を塞ぐことを抑制でき、相手端子１００がバネ部８０の内部へ案内されない等の好ましくない状況を抑制できる。
【００４３】
しかし、図６に示すように、バネ部８０が接続端子２０によって傾いた姿勢となる。ただし、第２弾性片８２がインナーハウジング５０の側壁５１Ｃと干渉するため、バネ部８０の傾きは制限される。より詳しくは、第２弾性片８２の先端が、後述する第２逃がし凹部５７と干渉するため、バネ部８０の傾きは制限される。これにより、第１弾性片８１の第１誘い込み部８１Ｂの先端は、インナーハウジング５０の内側挿入口５４から飛び出すことが抑制される。したがって、相手端子１００は、第１弾性片８１の先端と干渉することはなく、第１誘い込み部８１Ｂによってバネ部８０の内部に案内される。
【００４４】
また、バネ部８０が傾いた姿勢になると、図９に示すように、第１弾性片８１の先端と第２保持突起５３の係り代が小さくなる。しかし、図６に示すように、第１弾性片８１が傾いたとしても、基端部８３はほとんど傾かないため、第１保持突起５２が保持孔８３Ａに嵌まり込んだ状態は維持される。したがって、バネ部８０がインナーハウジング５０から脱落することが抑制される。
【００４５】
次に、図６に示す状態から相手端子１００は、外側挿入口７５と内側挿入口５４とを通ってインナーハウジング５０の内部に進入し、第１弾性片８１の第１誘い込み部８１Ｂに摺動することによってバネ部８０の内部へと案内される。換言すると、相手端子１００は、外側挿入口７５と内側挿入口５４とを通ってインナーハウジング５０の内部に進入し、第１開口部８５を通って収容部８４へ案内される。
【００４６】
相手端子１００の先端が第１弾性片８１の第１押圧部８１Ａに摺動し始めると、第１弾性片８１が第２弾性片８２から離間する方向に弾性的に変形し始める。図７に示すように、相手端子１００が正規の挿入位置に至ると、バネ部８０は第１弾性片８１と第２弾性片８２が最も開いた状態となり、強固なバネ力を発生させる。
【００４７】
相手端子１００は、接続端子２０と交差するようにバネ部８０で挟持されている。より詳しくは、相手端子１００と接続端子２０とが重なり部分を有するように相手端子１００と接続端子２０とが重ねられた状態で、バネ部８０は相手端子１００と接続端子２０との重なり部分を板厚方向に弾性的に押圧するように構成されている。図示した例では、相手端子１００は、接続端子２０と直交するようにバネ部８０によって挟持されている。換言すると、収容部８４の内部で、相手端子１００は接続端子２０と交差するように重なり合っている。接続端子２０と相手端子１００とが直交するように配置されることにより、例えば、接続端子２０と相手端子１００とが一直線状に配置される場合と比較して、コネクタ１０と相手端子１００が、接続端子２０の長手方向（図１の上下方向）において必要とする寸法を小さくすることができる。
【００４８】
ここで、相手端子１００は第１押圧部８１Ａによって接続端子２０側に押圧され、接続端子２０は第２押圧部８２Ａによって相手端子１００側に押圧される。第１押圧部８１Ａと第２押圧部８２Ａは、押圧方向が対向するように配置されている。より詳しくは、第１押圧部８１Ａと第２押圧部８２Ａは、押圧方向に重複する左右対称配置とされている。相手端子１００と接続端子２０は第１押圧部８１Ａと第２押圧部８２Ａによって挟持される。したがって、接続端子２０の一対の接点部２４は相手端子１００に高い接触圧で接触し、両者は導通可能に接続される。この接触状態では電線３０が振られたとしても一対の接点部２４が相手端子１００に摺動して摩耗することが抑制される。
【００４９】
なお、インナーハウジング５０の前壁５１Ａと側壁５１Ｃとの角部には、第１弾性片８１の先端を逃がす第１逃がし凹部５６と、第２弾性片８２の先端を逃がす第２逃がし凹部５７とが設けられている。また、第１逃がし凹部５６の後方には、第１誘い込み部８１Ｂを受ける第１過度撓み防止部５６Ａが設けられ、第２逃がし凹部５７の後方には、第２誘い込み部８２Ｂを受ける第２過度撓み防止部５７Ａが設けられている。第１過度撓み防止部５６Ａにより、相手端子１００が傾いた姿勢で挿入されたとしても、第１弾性片８１が過度に撓むことが防止される。また、第２過度撓み防止部５７Ａにより、接続端子２０が傾いた姿勢で挿入されたとしても、第２弾性片８２が過度に撓むことが防止される。
【００５０】
以上のように本実施形態では、相手端子１００をハウジング４０の挿入口（内側挿入口５４、外側挿入口７５）に挿入すると、接続端子２０と相手端子１００とがハウジング４０に保持されたバネ部８０に挟持された状態で電気的に接続されている。
【００５１】
このようにすれば、端子を筒状に加工する必要がないため、端子の板厚が大きくなっても、端子を容易に製造することができる。
【００５２】
また、接続端子２０は、相手端子１００との対向面２３に接点部２４が突出して設けられており、接点部２４は球面状の接触面２４Ａを備えている構成としてもよい。この構成によれば、相手端子１００が捻回した場合でも、接触面２４Ａと相手端子１００との接触面積が急激に減少することを抑制できる。したがって、接続端子２０と相手端子１００との間の接触抵抗が急激に増加して発熱し、両端子２０、１００が損傷することを抑制できる。
【００５３】
バネ部８０は、相手端子１００を接続端子２０に向けて押圧する第１押圧部８１Ａと、接続端子２０を相手端子１００に向けて押圧する第２押圧部８２Ａとを備える。この構成によれば、接続端子２０と相手端子１００は、第１押圧部８１Ａと第２押圧部８２Ａによって挟持される。よって、接続端子２０と相手端子１００は、高い接触圧で接触して電気的に接続される。したがって、接続端子２０の接点部２４が、相手端子１００と摺動して摩耗することが抑制される。
【００５４】
また、接続端子２０と相手端子１００とが通電すると、クーロン力に基づく電磁反発力が接続端子２０と相手端子１００とに加わる。もし、接続端子２０と相手端子１００とが、電磁反発によって互いに離れる方向に変位すると、両端子２０、１００の接触面積の減少による接触抵抗の増大が懸念される。しかし、上記構成によれば、第１押圧部８１Ａが、相手端子１００を接続端子２０側に押圧する。さらに、第２押圧部８２Ａが、接続端子２０を相手端子１００側へ押圧する。すなわち、電磁反発力に抗して両端子２０、１００の離間を抑制するように、バネ部８０から両端子２０、１００へ弾性力が加わる。したがって、通電時の電磁反発により接続端子２０と相手端子１００との接触抵抗が増大することを抑制できる。
【００５５】
バネ部８０は金属から構成される板バネであって、板状の基端部８３と、基端部８３の一端から片持ち状に延びる第１弾性片８１と、基端部８３の他端から片持ち状に延びる第２弾性片８２とを備え、第１押圧部８１Ａは第１弾性片８１に配され、第２押圧部８２Ａは第２弾性片８２に配されている構成としてもよい。このような構成によれば、板バネであるバネ部８０の第１弾性片８１に設けられた第１押圧部８１Ａが、相手端子１００を接続端子２０側に押圧する。さらに、第２弾性片８２に設けられた第２押圧部８２Ａが、接続端子２０を相手端子１００側へ押圧する。よって、接続端子２０と相手端子１００とをより高い接触圧で挟持することができる。したがって、接続端子２０と相手端子１００との電気接続信頼性を向上させることができる。
【００５６】
また、前述のとおり、通電時に生じる電磁反発力により、接続端子２０と相手端子１００とは互いに離れようとする。よって、例えば、両端子２０、１００の接触面積の減少による接触抵抗の増大が懸念される。しかし、上記構成によれば、バネ部８０によって接続端子２０と相手端子１００とが挟持されているため、通電時の接続端子２０と相手端子１００との間の接触抵抗の増大が抑制できる。
【００５７】
さらに、上記構成によれば、接続端子２０と相手端子１００とは、バネ部８０を介して電気的に接続されている。すなわち、接続端子２０と相手端子１００とは、第１弾性片８１と基端部８３と第２弾性片８２とを介して、電気的に接続されている。したがって、通電時の電磁反発によって、両端子２０、１００間の接触圧が低下して接触抵抗が増大した場合であっても、バネ部８０を介して接続端子２０と相手端子１００とが電気的に接続されているため、両端子２０、１００間の発熱を抑制できる。
【００５８】
また、前述のとおり、通電時に生じる電磁反発力により、接続端子２０と相手端子１００とは互いに離れようとする。よって、例えば、接続端子２０と相手端子１００との間に隙間が生じ、両端子２０、１００間の電気的に接続された状態が解除されることで、両端子２０、１００間でアーク放電が発生して、両端子２０、１００が損傷することが懸念される。しかし、上記構成によれば、通電時の電磁反発により接続端子２０と相手端子１００との間に隙間が生じた場合であっても、バネ部８０を介して接続端子２０と相手端子１００とは電気的に接続された状態が維持される。よって、通電時の電磁反発により、接続端子２０と相手端子１００との間で、アーク放電が生じることを抑制できる。したがって、接続端子２０や相手端子１００が損傷し、両端子２０、１００間の接触抵抗が増大することを抑制できる。
【００５９】
バネ部８０は基端部８３と反対側に第１開口部８５を備え、相手端子１００は第１開口部８５を通り収容部８４へ挿入される。この構成によれば、相手端子１００を収容部８４に挿入する際に、相手端子１００の端末を基端部８３に接触させることにより、相手端子１００の挿入深さを制限することができる。したがって、相手端子１００の挿入深さを容易に管理できるため、接続端子２０と相手端子１００との電気接続の作業性を向上させることができる。
【００６０】
第１押圧部８１Ａは、第１弾性片８１における第２弾性片８２との対向面から第２押圧部８２Ａ側に突出して設けられている構成としてもよい。この構成によれば、相手端子１００をコネクタ１０に挿入させる際に、相手端子１００が第１押圧部８１Ａと摺動することで円滑な挿入動作が可能になる。
【００６１】
第２押圧部８２Ａは、第２弾性片８２における第１弾性片８１との対向面から第１押圧部８１Ａ側に突出して設けられている構成としてもよい。
この構成によれば、接続端子２０をバネ部８０に取り付ける際に、接続端子２０が第２押圧部８２Ａに摺動することで円滑な挿入動作が可能になる。
【００６２】
ハウジング４０は、バネ部８０が内部に保持されたインナーハウジング５０と、インナーハウジング５０が内部に収容されたアウターハウジング６０と、インナーハウジング５０をアウターハウジング６０に保持させる保持キャップ７０とを備えて構成され、挿入口は、インナーハウジング５０に設けられた内側挿入口５４と、保持キャップ７０に設けられた外側挿入口７５とによって構成されているものとしてもよい。
このようにすると、バネ部８０をインナーハウジング５０に保持させた状態で接続端子２０をバネ部８０に取り付けることができるため、接続端子２０の取付作業が容易になる。
【００６３】
＜他の実施形態＞
本明細書によって開示される技術は上記記述及び図面によって説明した実施形態に限定されるものではなく、例えば次のような種々の態様も含まれる。
（１）上記実施形態では第１押圧部８１Ａと第２押圧部８２Ａが押圧方向に重複する左右対称配置とされているものの、必ずしも左右対称配置である必要はなく、第１押圧部と第２押圧部は押圧方向に一部が重複する配置としてもよいし、第１押圧部と第２押圧部が押圧方向に重複しない配置としてもよい。
【００６４】
（２）上記実施形態ではＳＵＳで構成されたバネ部８０を例示しているものの、ＳＵＳ以外の金属で構成されたバネ部としてもよい。バネ部８０は、鉄合金の他の例として、炭素鋼などから構成されていてもよい。より詳しくは、バネ部８０は、リボン鋼などから構成されていてもよい。バネ部８０は、銅や銅合金などから構成されていてもよい。銅や銅合金から構成されるバネ部８０は、鉄や鉄合金から構成されるバネ部８０に比べて電気伝導しやすい。したがって、接続端子２０と相手端子１００とがバネ部８０を介して電気的に接続される構成において、電磁反発により両端子２０、１００との間に隙間が生じても、両端子２０、１００との間でアーク放電が生じることをより抑制できる。
【００６５】
（３）上記実施形態では板バネからなるバネ部８０を例示したが、コイルバネからなるバネ部を用いてもよい。
【００６６】
（４）上記実施形態では第１押圧部８１Ａの表面が球面状とされているものを例示したが、第１押圧部の表面が第１弾性片８１の表面と面一をなすものとしてもよい。
【００６７】
（５）上記実施形態では第２押圧部８２Ａの表面が球面状とされているものを例示したが、第２押圧部の表面が第２弾性片８２の表面と面一をなすものとしてもよい。
【００６８】
（６）上記実施形態ではインナーハウジング５０と保持キャップ７０が別体に構成されているものを例示したが、インナーハウジングと保持キャップが一体に構成されているものとしてもよい。この場合、内側挿入口５４と外側挿入口７５が一体に構成された単一の挿入口を設けてもよい。
【００６９】
（７）上記実施形態では相手端子１００との対向面２３に接点部２４を設けているものの、相手端子１００に接点部を設けてもよい。
【００７０】
（８）上記実施形態では、接続端子２０と相手端子１００とが、直交するように配置されているが、これに限定されない。例えば、接続端子２０と相手端子１００とが、一直線状に並ぶように配置されていてもよい。この構成によれば、接続端子２０と相手端子１００とが直交する場合と比較して、コネクタ１０と相手端子１００が、接続端子２０の長手方向と直交方向（図１の左右方向）において必要とする寸法を小さくすることができる。この場合、接続端子２０と相手端子１００とを第２開口部８６からバネ部８０へ挿入できるように、内側挿入口５４と外側挿入口７５とを第２開口部８６と重なるように設けてもよい。
【００７１】
（９）上記実施形態では、接続端子２０の対向面２３には、接点部２４が一対設けられているが、これに限定されない。例えば、接点部２０の対向面２３には、接点部２４が１つ設けられていてもよいし、３つ以上設けられていてもよい。
【符号の説明】
【００７２】
１０…コネクタ
２０…接続端子
２３…対向面
２４…接点部
４０…ハウジング
５０…インナーハウジング
５４…内側挿入口
６０…アウターハウジング
７０…保持キャップ
７５…外側挿入口
８０…バネ部
８１…第１弾性片
８１Ａ…第１押圧部
８２…第２弾性片
８２Ａ…第２押圧部
８３…基端部
１００…相手端子
【図１】
2019167434.tif 000003
【図２】
2019167434.tif 000004
【図３】
2019167434.tif 000005
【図４】
2019167434.tif 000006
【図５】
2019167434.tif 000007
【図６】
2019167434.tif 000008
【図７】
2019167434.tif 000009
【図８】
2019167434.tif 000010
【図９】
2019167434.tif 000011
【図１０】
2019167434.tif 000012
【図１１】
2019167434.tif 000013
【図１２】
2019167434.tif 000014
【図１３】
2019167434.tif 000015
【図１４】
2019167434.tif 000016
【国際調査報告】
2019167434.tif 000017
2019167434.tif 000018
2019167434.tif 000019
2019167434.tif 000020